(57)【要約】【課題】複数の地域拠点に対してそれぞれＡＴＭ専用線で接続されているセンタ拠点のＡＴＭ中継装置で、煩雑な作業なしで、有効な優先制御を行う。【解決手段】  ＡＴＭ専用線４ａからのＡＴＭセルからＣＬＰの値を取得するＣＬＰ取得部１３ａと、ＡＴＭセルからイーサネットフレームを生成するＳＡＲ機能部１４と、ＳＡＲ機能部１４で生成されたイーサネットフレームに組み込まれている宛先が何処であるかを調査する宛先調査部１５と、宛先調査部１５による調査で宛先がＡＴＭ網である場合には、ＣＬＰ取得部１３ａで取得されたＣＬＰの値を判定するＣＬＰ判定部１６ａと、ＣＬＰ判定部１６ａで判定されたＣＬＰの値をＡＴＭセルに設定するＣＬＰ設定部１３ｂとを備えている。ＳＡＲ機能部１４は、宛先がＡＴＭ網である場合に、一旦生成したイーサフレームから再びＡＴＭセルを生成して、これをＣＬＰ設定部１３ｂに渡す。【選択図】  図２
2005303881.tif 000002
【特許請求の範囲】
【請求項１】
複数の地域拠点に対してそれぞれＡＴＭ専用線で接続され、各地域拠点からは、当該センタ拠点から先の宛先データを含むフレームが組み込まれているＡＴＭセルが送信されてくる該センタ拠点のＡＴＭ中継装置において、
複数の前記地域拠点のうちのいずれか一の地域拠点から、前記ＡＴＭ専用線を介して送信されてきたＡＴＭセル（以下、受信ＡＴＭセルとする）を受信するＡＴＭセル受信手段と、
前記ＡＴＭセル受信手段で受信した前記ＡＴＭセルのＡＴＭヘッダからＣＬＰ（Cell  Loss  Priority）の値を取得するＣＬＰ取得手段と、
前記ＣＬＰの値が取得されたＡＴＭセルから、ＡＴＭヘッダを外して、前記フレームを生成する第１変換手段と、
前記第１変換手段で得られた前記フレームを解析して、宛先を調べる宛先調査手段と、
前記宛先調査手段による調査により、前記宛先が複数の前記地域拠点のうちのいずれかの地域拠点である場合に、前記フレームを用いてＡＴＭセル（以下、送信ＡＴＭセルとする）を生成する第２変換手段と、
前記送信ＡＴＭセルが前記受信ＡＴＭセルに基づくものである場合に、該送信ＡＴＭセルに、前記ＣＬＰ取得手段により該受信ＡＴＭセルから取得された前記ＣＬＰの値を設定するＣＬＰ設定手段と、
前記ＣＬＰの値が設定された前記送信ＡＴＭセルを、前記ＡＴＭ専用線を介して、複数の前記地域拠点のうちの前記宛先の地域拠点へ送信するＡＴＭセル送信手段と、
を備えていることを特徴とするＡＴＭ中継装置。
【請求項２】
請求項１に記載のＡＴＭ中継装置において、
前記第１変換手段で得られたフレームが一時的に格納される第１及び第２ＡＴＭ通信用記憶領域と、
前記ＣＬＰ取得手段で取得された前記ＣＬＰの値に応じて、前記フレームを前記第１ＡＴＭ通信用記憶領域と前記第２ＡＴＭ通信用記憶領域とのうちのいずれか一方の記憶領域に格納するＣＬＰ判定手段と、
を備え、
前記第２変換手段は、前記第１及び第２ＡＴＭ通信用記憶領域に格納された前記フレームを用いて前記送信ＡＴＭセルを生成し、該第１及び第２ＡＴＭ通信用記憶領域のそれぞれに該フレームが格納されている場合には、該第１ＡＴＭ通信用記憶領域に格納されている該フレームを優先的に処理する、
ことを特徴とするＡＴＭ中継装置。
【請求項３】
請求項２に記載のＡＴＭ中継装置において、
前記フレームの形式で通信データを受信するフレーム受信手段と、
前記フレームに含まれている通信優先度を示すデータと、前記ＣＬＰの値との対応関係が記憶されている優先度ポリシーテーブルと、
前記優先度ポリシーテーブルを用いて、前記フレーム受信手段で受信した前記フレームに含まれている前記通信優先度を示すデータを前記ＣＬＰの値に対応付け、対応付けられた前記ＣＬＰの値に応じて、該フレームを前記前記第１ＡＴＭ通信用記憶領域と前記第２ＡＴＭ通信用記憶領域とのうちのいずれか一方の記憶領域に格納する優先度判定手段と、
を備え、
前記ＣＬＰ設定手段は、前記第２変換手段から受け取った前記ＡＴＭセルが、前記第１ＡＴＭ通信用記憶領域に格納されていた前記フレームを用いて生成されたＡＴＭセルである場合には、該ＡＴＭセルに、前記ＣＬＰの値として通信優先度が高いことを示す値を設定する、
ことを特徴とするＡＴＭ中継装置。
【請求項４】
請求項１から３のいずれか一項に記載のＡＴＭ中継装置において、
前記フレームの形式で通信データを送信するフレーム送信手段と、
前記フレーム送信手段が送信する前記フレームを一時的に格納しておく第１及び第２フレーム通信用記憶領域と、
前記ＣＬＰ取得手段で取得された前記ＣＬＰの値に応じて、前記フレームを前記第１フレーム通信用記憶領域と前記第２フレーム通信用記憶領域とのうちのいずれか一方の記憶領域に格納する第２のＣＬＰ判定手段と、
を備え、
前記宛先調査手段は、前記第１変換手段で得られた前記フレームを解析して、宛先を調べた結果、該宛先が前記フレーム送信手段から送信すべき宛先である場合には、該フレームを前記第２のＣＬＰ判定部に渡す、
ことを特徴とするＡＴＭ中継装置。
【請求項５】
請求項１から４のいずれか一項に記載のＡＴＭ中継装置と、
前記ＡＴＭ中継装置とＡＴＭ専用線で接続され、該ＡＴＭ中継装置から先の宛先データを含むフレームが組み込まれているＡＴＭセルを、該ＡＴＭ中継装置に送信する複数のＡＴＭ装置と、
を備えていることを特徴とするＡＴＭネットワークシステム。
【請求項６】
複数の地域拠点に対してそれぞれＡＴＭ専用線で接続され、各地域拠点からは、当該センタ拠点から先の宛先データを含むフレームが組み込まれているＡＴＭセルが送信され、該ＡＴＭセルを該センタ拠点で中継するＡＴＭ中継方法において、
複数の前記地域拠点のうちのいずれか一の地域拠点から、前記ＡＴＭ専用線を介して送信されてきたＡＴＭセル（以下、受信ＡＴＭセルとする）を受信するＡＴＭセル受信工程と、
前記ＡＴＭセル受信工程で受信した前記ＡＴＭセルのＡＴＭヘッダからＣＬＰ（Cell  Loss  Priority）の値を取得するＣＬＰ取得工程と、
前記ＣＬＰの値が取得されたＡＴＭセルから、ＡＴＭヘッダを外して、前記フレームを取り出す第１変換工程と、
前記第１変換工程で得られた前記フレームを解析して、宛先を調べる宛先調査工程と、
前記宛先調査工程での調査により、前記宛先が複数の地域拠点のうちのいずれかの地域拠点である場合に、前記フレームを用いてＡＴＭセル（以下、送信ＡＴＭセルとする）を生成する第２変換工程と、
前記送信ＡＴＭセルが前記受信ＡＴＭセルに基づくものである場合に、該送信ＡＴＭセルに、前記ＣＬＰ取得工程で該受信ＡＴＭセルから取得した前記ＣＬＰの値を設定するＣＬＰ設定工程と、
前記ＣＬＰの値が設定された前記送信ＡＴＭセルを、前記ＡＴＭ専用線を介して、複数の前記地域拠点のうちの前記宛先の地域拠点へ送信するＡＴＭセル送信工程と、
を含むことを特徴とするＡＴＭ中継方法。
【請求項７】
請求項６に記載のＡＴＭ中継方法において、
前記ＣＬＰ取得工程で取得された前記ＣＬＰの値に応じて、前記第1変換工程で得られた前記フレームを第１ＡＴＭ通信用記憶領域と第２ＡＴＭ通信用記憶領域とのうちのいずれか一方の記憶領域に格納するＣＬＰ判定工程を含み、
前記第２変換工程では、前記第１及び第２ＡＴＭ通信用記憶領域に格納された前記フレームを用いて前記送信ＡＴＭセルを生成し、該第１及び第２ＡＴＭ通信用記憶領域のそれぞれに該フレームが格納されている場合には、該第１ＡＴＭ通信用記憶領域に格納されている該フレームを優先的に処理する、
ことを特徴とするＡＴＭ中継方法。
【発明の詳細な説明】
【技術分野】
【０００１】
本発明は、複数の拠点に対してそれぞれＡＴＭ専用線で接続され、各拠点からＡＴＭセルが送信されてくるＡＴＭ中継装置、及びＡＴＭ中継方法に関する。
【背景技術】
【０００２】
１箇所のセンタ拠点と複数の地域拠点でＡＴＭネットワークを構築する場合、各拠点から他の拠点に対してＡＴＭ専用線を設けるポイントｔｏマルチポイント型で実現するものがある。しかし、このポイントｔｏマルチポイント型では、ＡＴＭ専用線を多数設ける必要があるため、イニシャルコストのみならずランニングコストが高くなってしまう。そこで、これらのコストを抑えることができるＡＴＭネットワークシステムとして、以下の非特許文献１に記載されているものがある。
【０００３】
このＡＴＭネットワークシステムは、図６に示すように、複数の地域拠点Ａ，Ｂから、１本の専用線４ａ，４ｂで１箇所のセンタ拠点と接続したＡＴＭネットワーク４を構成し、地域拠点Ａ，Ｂ間の通信では、センタ拠点を経由するポイントｔｏポイント型のものである。
【０００４】
各拠点間で送受信されるＡＴＭセルは、そのヘッダ部分に、ＣＬＰ（Cell  Loss  Priority：セル損失優先度）の欄が設けられている。ＡＴＭネットワーク４では、ネットワーク４内が混雑してくると、ＣＬＰに「１」が設定されている廃棄優先セルを廃棄し、ＣＬＰに「０」が設定されている廃棄非優先セルを重要なセルとして残している。
【０００５】
非特許文献１に記載の技術で、地域拠点Ａ，Ｂで、一方がＬＡＮ２ａ，２ｂに接続された他方がＡＴＭ専用線４ａ，４ｂに接続されているＥ／Ａコンバータ１ａ，１ｂを採用する場合、このＥ／Ａコンバータ１ａ，１ｂは、ＬＡＮ２ａ，２ｂからのイーサ（米国ゼロックス社の登録商標）ネットフレームを受信し、これをＡＴＭセルに変換して、センタ拠点へ送信する。
【０００６】
一般的に、インターネットでは、ＩＰのＴＯＳ（Type  Of  Service）フィールドの値、ＩＰアドレス、ＴＣＰ（Transmission  Control  Protocol）のポート番号により、優先すべきＩＰパケットとそうでないＩＰパケットとを識別して、優勢制御を行っている。
【０００７】
地域拠点ＡのＥ／Ａコンバータ１ａは、イーサネットフレームに組み込まれているＩＰパケットから、このＩＰパケットの優先性を識別して、その優先性をＡＴＭセルのＣＬＰに設定している。この際、Ｅ／Ａコンバータ１ａは、ＩＰパケットに含まれている通信優先度を示すデータと、ＣＬＰの値との対応関係が記憶されている優先度ポリシーテーブル３ａを予め準備しておき、このテーブル３ａを参照して、ＡＴＭセルにＣＬＰの値を設定している。
【０００８】
また、センタ拠点のＥ／Ａコンバータ１は、地域拠点ＡのＥ／Ａコンバータ１ａからＡＴＭセルを受信すると、これからＡＴＭセルヘッダを外して、イーサネットフレームを生成し、このイーサネットフレームで宛先を調べ、このイーサネットフレームを用いてＡＴＭセルを生成して、宛先が示す地域拠点ＢへＡＴＭセルを送信している。センタ拠点のＥ／Ａコンバータ１は、受信したＡＴＭセルからイーサネットフレームを生成した際、地域拠点ＡのＥ／Ａコンバータ１ａと同様に、イーサネットフレームに含まれている通信優先度のデータを調べて、前述と同様の優先度ポリシーテーブル３を参照することで、ＣＬＰの値を設定している。
【０００９】
【非特許文献１】Arcstar  IP-VPN[サービス詳細：Arcstar]、2/3ページ、NTT  communications  2003年1月16日検索、  インターネット〈URL：http://www.ntt.com/dnws/ip-vpn/service/ipvpn01.html〉
【発明の開示】
【発明が解決しようとする課題】
【００１０】
しかしながら、従来技術では、地域拠点Ａで用いられている優先度ポリシーテーブル３ａの内容とセンタ拠点で用いられている優先度ポリシーテーブル３の内容とが異なっていると、地域拠点Ａからセンタ拠点へ送信されるＡＴＭセルには、ＣＬＰに廃棄非優先を示す「０」が設定されていたとしても、センタ拠点から他の地域拠点へ送り返されるＡＴＭセルには、ＣＬＰに廃棄優先を示す「１」が設定されることがあるため、このＡＴＭセルがＡＴＭネットワーク４内で廃棄されることがあるという問題点がある。
【００１１】
このため、複数の地域拠点Ａ，Ｂとセンタ拠点で同一の優先度ポリシーを登録しておけば、上記のような問題は生じないが、複数の地域拠点Ａ，Ｂとセンタ拠点で同一の優先度ポリシーを設定することは、極めて煩雑な作業を行わなければならず、多大な労力を必要とする。
【００１２】
また、データの廃棄は、例えば、ＴＣＰ／ＩＰのように、受信データの正当性を確認し、データの廃棄によってデータが欠落しても再送の規定されている場合には、多少の遅延が許されるデータでは支障がない。しかし、音声データや映像データのようにリアルタイム性が重視されるデータでは、データの廃棄、データの再送による遅延が問題となる。また、リモート制御に関するデータでは、たとえ、ネットワークが混雑しても確実に送られることが要求される。
【００１３】
本発明は、このような従来の問題点に着目してなされたもので、複数の地域拠点に対してそれぞれＡＴＭ専用線で接続されているセンタ拠点のＡＴＭ中継装置で、煩雑な作業なしで、有効な優先制御を行うことができるＡＴＭ中継装置及びＡＴＭ中継方法を提供することを目的とする。
【課題を解決するための手段】
【００１４】
前記問題点を解決するための発明に係るＡＴＭ中継装置は、
複数の地域拠点に対してそれぞれＡＴＭ専用線で接続され、各地域拠点からは、当該センタ拠点から先の宛先データを含むフレームが組み込まれているＡＴＭセルが送信されてくる該センタ拠点のＡＴＭ中継装置において、
複数の前記地域拠点のうちのいずれか一の地域拠点から、前記ＡＴＭ専用線を介して送信されてきたＡＴＭセル（以下、受信ＡＴＭセルとする）を受信するＡＴＭセル受信手段と、
前記ＡＴＭセル受信手段で受信した前記ＡＴＭセルのＡＴＭヘッダからＣＬＰ（Cell  Loss  Priority）の値を取得するＣＬＰ取得手段と、
前記ＣＬＰの値が取得されたＡＴＭセルから、ＡＴＭヘッダを外して、前記フレームを生成する第１変換手段と、
前記第１変換手段で得られた前記フレームを解析して、宛先を調べる宛先調査手段と、
前記宛先調査手段による調査により、前記宛先が複数の前記地域拠点のうちのいずれかの地域拠点である場合に、前記フレームを用いてＡＴＭセル（以下、送信ＡＴＭセルとする）を生成する第２変換手段と、
前記送信ＡＴＭセルが前記受信ＡＴＭセルに基づくものである場合に、該送信ＡＴＭセルに、前記ＣＬＰ取得手段により該受信ＡＴＭセルから取得された前記ＣＬＰの値を設定するＣＬＰ設定手段と、
前記ＣＬＰの値が設定された前記送信ＡＴＭセルを、前記ＡＴＭ専用線を介して、複数の前記地域拠点のうちの前記宛先の地域拠点へ送信するＡＴＭセル送信手段と、を備えていることを特徴とするものである。
【００１５】
ここで、前記ＡＴＭ中継装置は、
前記第１変換手段で得られたフレームが一時的に格納される第１及び第２ＡＴＭ通信用記憶領域と、前記ＣＬＰ取得手段で取得された前記ＣＬＰの値に応じて、前記フレームを前記第１ＡＴＭ通信用記憶領域と前記第２ＡＴＭ通信用記憶領域とのうちのいずれか一方の記憶領域に格納するＣＬＰ判定手段と、を備え、
前記第２変換手段は、前記第１及び第２ＡＴＭ通信用記憶領域に格納された前記フレームを用いて前記送信ＡＴＭセルを生成し、該第１及び第２ＡＴＭ通信用記憶領域のそれぞれに該フレームが格納されている場合には、該第１ＡＴＭ通信用記憶領域に格納されている該フレームを優先的に処理するものであってもよい。
【００１６】
また、前記目的を達成するための発明に係るＡＴＭ中継方法は、
複数の地域拠点に対してそれぞれＡＴＭ専用線で接続され、各地域拠点からは、当該センタ拠点から先の宛先データを含むフレームが組み込まれているＡＴＭセルが送信され、該ＡＴＭセルを該センタ拠点で中継するＡＴＭ中継方法において、
複数の前記地域拠点のうちのいずれか一の地域拠点から、前記ＡＴＭ専用線を介して送信されてきたＡＴＭセル（以下、受信ＡＴＭセルとする）を受信するＡＴＭセル受信工程と、
前記ＡＴＭセル受信工程で受信した前記ＡＴＭセルのＡＴＭヘッダからＣＬＰ（Cell  Loss  Priority）の値を取得するＣＬＰ取得工程と、
前記ＣＬＰの値が取得されたＡＴＭセルから、ＡＴＭヘッダを外して、前記フレームを取り出す第１変換工程と、
前記第１変換工程で得られた前記フレームを解析して、宛先を調べる宛先調査工程と、
前記宛先調査工程での調査により、前記宛先が複数の地域拠点のうちのいずれかの地域拠点である場合に、前記フレームを用いてＡＴＭセル（以下、送信ＡＴＭセルとする）を生成する第２変換工程と、
前記送信ＡＴＭセルが前記受信ＡＴＭセルに基づくものである場合に、該送信ＡＴＭセルに、前記ＣＬＰ取得工程で該受信ＡＴＭセルから取得した前記ＣＬＰの値を設定するＣＬＰ設定工程と、
前記ＣＬＰの値が設定された前記送信ＡＴＭセルを、前記ＡＴＭ専用線を介して、複数の前記地域拠点のうちの前記宛先の地域拠点へ送信するＡＴＭセル送信工程と、
を含むことを特徴とするものである。
【発明の効果】
【００１７】
本発明によれば、ある地域拠点からのＡＴＭセルを他の地域拠点に折り返す際、ある地域拠点からのＡＴＭセルのＣＬＰの値をそのまま、他の地域拠点に折り返すＡＴＭセルのヘッダに設定しているので、煩雑な作業なしで、ＡＴＭネットワーク内での優先制御を保証できる。
【発明を実施するための最良の形態】
【００１８】
以下、本発明に係るＡＴＭネットワークシステムの一実施形態にについて、図面を用いて説明する。
【００１９】
本実施形態のＡＴＭネットワークシステムは、センタ拠点のＥ／Ａコンバータ（ＡＴＭ中継装置）１０と、複数の地域拠点Ａ，Ｂのそれぞれに設けられているＥ／Ａコンバータ１０ａ，１０ｂと、センタ拠点のＥ／Ａコンバータ１０と各地域拠点Ａ，ＢのＥ／Ａコンバータ１０ａ，１０ｂとを接続するＡＴＭ専用線４ａ，４ｂとを備えている。
【００２０】
各Ｅ／Ａコンバータ１０，１０ａ，１０ｂは、一方がＡＴＭ専用線４ａ，４ｂに接続され、他方がＬＡＮ２，２ａ，２ｂに接続されている。
【００２１】
センタ拠点のＥ／Ａコンバータ１０は、図２に示すように、ＡＴＭ専用線４ａ，４ｂで構成されるＡＴＭネットワーク４との間でＡＴＭセルを送受信するＡＴＭインタフェース（ＡＴＭセル受信手段、ＡＴＭセル送信手段）１１と、ＬＡＮとの間でイーサネットフレームの一種である10BASE-T/100BASE-Tフレーム（以下、単にイーサネットフレームとする）を送受信する10BASE-T/100BASE-Tインタフェース（以下、イーサネットインタフェース（フレーム受信手段及びフレーム送信手段））１２と、ＡＴＭインタフェース１１で受信したＡＴＭセルのヘッダからＣＬＰの値を取得するＣＬＰ取得部１３と、ＡＴＭセルからヘッダを外してイーサネットフレームを復元すると共に、イーサネットフレームにＡＴＭセルヘッダを付してＡＴＭセルを生成するＳＡＲ（Segmentation  And  Reasembly  sublayer）機能部（第１変換手段及び第２変換手段）１４と、ＳＡＲ機能部１４で復元されたイーサネットフレームに含まれている宛先データから宛先がＡＴＭネットワーク側であるかＬＡＮ側であるかを調べる宛先調査部１５と、宛先調査部１５で宛先がＡＴＭネットワーク側であるとされたイーサフネットレームに関するＣＬＰの値を判定するＡＴＭ側ＣＬＰ判定部１６ａと、ＡＴＭ側ＣＬＰ判定部１６ａで廃棄非優先と判定されたイーサネットフレームを一時的に格納するＡＴＭ優先キュー１７ａと、ＡＴＭ側ＣＬＰ判定部１６ａで廃棄優先と判定されたイーサネットフレームを一時的に格納するＡＴＭ通常キュー１８ａと、宛先調査部１５で宛先がＬＡＮ側であるとされたイーサネットフレームに関するＣＬＰの値を判定するＬＡＮ側ＣＬＰ判定部１６ｂと、ＬＡＮ側ＣＬＰ判定部１６ｂで廃棄非優先と判定されたイーサネットフレームを一時的に格納するイーサ優先キュー１７ｂと、ＬＡＮ側ＣＬＰ判定部１６ｂで廃棄優先と判定されたイーサネットフレームを一時的に格納するイーサ通常キュー１８ｂと、イーサネットフレームに含まれている通信優先度を示すデータとＣＬＰの値との対応関係が記憶されている優先度ポリシーテーブルと、この優先度ポリシーテーブルを用いて、イーサネットインタフェース１２で受信したイーサネットフレームに含まれている通信優先度に応じたＣＬＰの値を判定して、このイーサネットフレームをＡＴＭ優先キュー１７ａかＡＴＭ通常キュー１８ａのいずれかに格納する優先度判定部１６ｃと、ＳＡＲ機能部１４で生成されたＡＴＭセルにＣＬＰの値を設定するＣＬＰ設定部１３ｂと、を備えている。
【００２２】
また、地域拠点Ａ，ＢのＥ／Ａコンバータ１０ａ，１０ｂは、図３に示すように、センタ拠点のＥ／Ａコンバータ１０の宛先調査部１５及びＡＴＭ側ＣＬＰ判定部１６ａが無い以外、センタ拠点のＥ／Ａコンバータ１０と基本的に同じ構成で、ＡＴＭインタフェース１１と、イーサネットインタフェース１２と、ＣＬＰ取得部１３ａと、ＳＡＲ機能部１４と、ＬＡＮ側ＣＬＰ判定部１６ｂと、イーサ優先キュー１７ｂと、イーサ通常キュー１８ｂと、ＡＴＭ優先キュー１７ａと、ＡＴＭ通常キュー１８ａと、優先度ポリシーテーブル３ａと、優先度判定部１６ｃと、ＣＬＰ設定部１３ｂと、を備えている。
【００２３】
次に、地域拠点ＡのＥ／Ａコンバータ１０ａがＬＡＮ２ａからイーサネットフレームを受信した際の動作について説明する。
【００２４】
地域拠点Ａに設けられているＥ／Ａコンバータ１０ａのイーサネットインタフェース１２が、図３に示すように、ＬＡＮからイーサネットフレームを受信すると、優先度判定部１６ｃは、図１に示す優先度ポリシーテーブル３ａを用いて、イーサネットフレームに組み込まれているＩＰパケットのヘッダから、このＩＰパケットの優先度を認識して、このＩＰパケットの優先度に対応するＡＴＭセルのＣＬＰの値を定める。例えば、図３に示す例では、ＩＰパケットの優先度が「Ａ」の場合にはＣＬＰの値を廃棄非優先を示す「０」にし、ＩＰパケットの優先度が「Ａ」以外の場合にはＣＬＰの値を廃棄優先を示す「１」にする。そして、ＣＬＰの値を「０」にしたイーサネットフレームをＡＴＭ優先キュー１７ａに格納し、ＣＬＰの値を「１」にしたイーサネットフレームをＡＴＭ通常キュー１８ａに格納する。
【００２５】
ＳＡＲ機能部１４は、ＡＴＭ優先キュー１７ａ及びＡＴＭ通常キュー１８ａに格納されたイーサネットフレームを取り出して、これにＡＴＭヘッダを付加する等して、ＡＴＭセルを生成する。ＳＡＲ機能部１４は、ＡＴＭ優先キュー１７ａとＡＴＭ通常キュー１８ａの両方にイーサネットフレームが格納されている場合には、ＡＴＭ優先キュー１７ａに格納されているイーサネットフレームを優先的に処理する。
【００２６】
ＣＬＰ設定部１３ｂは、ＳＡＲ機能部１４からＡＴＭセルを受け取ると、ＡＴＭ優先キュー１７ａに格納されていたイーサネットフレームに基づいて生成されたＡＴＭセルである場合には、ＡＴＭセルヘッダのＣＬＰに「０」を設定し、ＡＴＭ通常キュー１８ａに格納されていたイーサネットフレームに基づいて生成されたＡＴＭである場合には、ＡＴＭセルヘッダのＣＬＰに「１」を設定して、ＡＴＭインタフェース１１に渡す。このＡＴＭインタフェース１１は、図４に示すＡＴＭ専用線４ａを介して、このＡＴＭセルをセンタ拠点のＥ／Ａコンバータ１０へ送信する。
【００２７】
次に、センタ拠点のＥ／Ａコンバータ１０が地域拠点ＡのＥ／Ａコンバータ１０ａから、ＡＴＭ専用線４ａを介してＡＴＭセルを受信した際の動作について、図４及び図５に示すフローチャートに従って説明する。
【００２８】
センタ拠点に設けられているＥ／Ａコンバータ１０のＡＴＭインタフェース１０が、ＡＴＭネットワーク４からＡＴＭセルを受信すると（ステップ１）、ＣＬＰ取得部１３ａがこのＡＴＭセルのヘッダからＣＬＰの値を取得する（ステップ２）。ＳＡＲ機能部１４は、ＣＬＰの値が取得されたＡＴＭセルからセルヘッダを分解した後、イーサネットフレームを復元し、このイーサネットフレームに、セルヘッダを分解したときに得られたＣＬＰの値を付けて、宛先調査部１５に渡す（ステップ３）。宛先調査部１５は、イーサネットフレームに含まれているセンタ拠点以降の宛先を示すデータから、その宛先がＡＴＭネットワーク側か否かを調べる（ステップ４）。
【００２９】
宛先がＡＴＭネットワーク側でない、つまり、ＬＡＮ側である場合には、ＣＬＰの値と共にイーサネットフレームをＬＡＮ側ＣＬＰ判定部１６ｂに渡す（ステップ５）。ＬＡＮ側ＣＬＰ判定部１６ｂは、図５のフローチャートに示すように、イーサネットフレームと共に受け取ったＣＬＰの値が廃棄非優先を示す「０」であるか否かを判定し（ステップ７）、ＣＬＰの値が「０」であれば、このイーサネットフレームをイーサ優先キュー１７ｂに格納し（ステップ７）、ＣＬＰの値が「１」であれば、このイーサネットフレームをイーサ通常キュー１８ｂに格納する（ステップ８）。そして、イーサネットインタフェース１２は、イーサ優先キュー１７ｂ及びイーサ通常キュー１８ｂに格納されているイーサフレームをＬＡＮ２に送出する（ステップ９）。但し、このイーサネットインタフェース１２は、イーサ優先キュー１７ｂとイーサ通常キュー１８ｂとの両方にイーサフレームが格納されている場合、イーサ優先キュー１７ｂに格納されているイーサネットフレームを優先的にＬＡＮ２に送出する。
【００３０】
また、図４のステップ５では、宛先調査部１５が、宛先はＡＴＭネットワーク側であると判定した場合、ＣＬＰの値と共にイーサネットフレームをＡＴＭ側ＣＬＰ判定部１６ａに渡す。ＡＴＭ側ＣＬＰ判定部１６ａは、イーサネットフレームと共に受け取ったＣＬＰの値が廃棄非優先を示す「０」であるか否かを判定し（ステップ２１）、ＣＬＰの値が「０」であれば、このイーサネットフレームをＡＴＭ優先キュー１７ａに格納し（ステップ２２）、ＣＬＰの値が「１」であれば、このイーサネットフレームをＡＴＭ通常キュー１８ａに格納する（ステップ２３）。ＳＡＲ機能部１４は、ＡＴＭ優先キュー１７ａ及びＡＴＭ通常キュー１８ａに格納されているイーサフレームを分解し、それぞれにＡＴＭセルヘッダを付して、ＡＴＭセルを生成し、このＡＴＭセルをＣＬＰ設定部１３ｂに渡す（ステップ２４）。なお、このＳＡＲ機能部１４は、ＡＴＭ優先キュー１７ａとＡＴＭ通常キュー１８ａとの両方にイーサフレームが格納されている場合、ＡＴＭ優先キュー１７ａに格納されているイーサネットフレームを優先的に処理する。また、ＳＡＲ機能部１４は、セルヘッダを付す際に、イーサネットフレーム中の組み込まれている宛先をセルヘッダに設定する。
ＣＬＰ設定部１３ｂは、ＡＴＭ優先キュー１７ａに格納されていたイーサネットフレームに基づくＡＴＭセルに対しては、ＣＬＰの値として「０」を設定し、ＡＴＭ通常キュー１８ａに格納されていたイーサネットフレームに基づくＡＴＭセルに対しては、ＣＬＰの値として「１」を設定して、このＡＴＭセルをＡＴＭインタフェース１１に渡す（ステップ２５）。ＡＴＭインタフェース１１は、ＣＬＰ設定部１３ｂからのＡＴＭセルをＡＴＭネットワーク４に送出する（ステップ２６）。この際、ＡＴＭインタフェース１１は、ＡＴＭセルのヘッダを調べて、宛先を確認し、宛先に接続されているＡＴＭ専用線４ａ，４ｂにＡＴＭセルを送出する。
【００３１】
また、センタ拠点のＥ／Ａコンバータ１０のイーサネットインタフェース１２がＬＡＮ２からイーサネットフレームを受信した場合には、前述した、地域拠点のＥ／Ａコンバータ１０ａ，１０ｂのイーサネットインタフェース１２がＬＡＮ２ａ，２ｂからイーサネットフレームを受信した場合と同様に、優先度判定部１６ｃが、図１に示す優先度ポリシーテーブル３を用いてＣＬＰの値を定め、この値に応じて、イーサネットフレームをＡＴＭ優先キュー１７ａ又はＡＴＭ通常キュー１８ａに格納する。そして、ＳＡＲ機能部１４は、ＡＴＭ優先キュー１７ａ及びＡＴＭ通常キュー１８ａに格納されたイーサネットフレームからＡＴＭセルを生成し、ＣＬＰ設定部１３ｂによりＡＴＭセルヘッダのＣＬＰの値が設定された後、ＡＴＭインタフェース１１からＡＴＭネットワーク４へＡＴＭセルが送出される。
【００３２】
以上のように、本実施形態では、地域拠点ＡからのＡＴＭセルを他の地域拠点Ｂに折り返す際、地域拠点ＡからのＡＴＭセルのＣＬＰの値をそのまま、他の地域拠点Ｂに折り返すＡＴＭセルのヘッダに設定しているので、煩雑な作業なしで、ＡＴＭネットワーク４内での優先制御を保証できる。
【図面の簡単な説明】
【００３３】
【図１】本発明に係る一実施形態におけるＡＴＭネットワークシステムの系統図である。
【図２】本発明に係る一実施形態におけるセンタ拠点のＥ/Ａコンバータの機能ブロック図である。
【図３】本発明に係る一実施形態における地域拠点のＥ/Ａコンバータの機能ブロック図である。
【図４】本発明に係る一実施形態におけるセンタ拠点のＥ/Ａコンバータの動作を示すフローチャート（その１）である。
【図５】本発明に係る一実施形態におけるセンタ拠点のＥ/Ａコンバータの動作を示すフローチャート（その２）である。
【図６】従来のＡＴＭネットワークシステムの系統図である。
【符号の説明】
【００３４】
１０：センタ拠点のＥ/Ａコンバータ      １０ａ，１０ｂ：地域拠点のＥ/Ａコンバータ
１１：ＡＴＭインタフェース             １２：10BASE-T/100BASE-Tインタフェース
１３ａ：ＣＬＰ取得部                    １３ｂ：ＣＬＰ設定部
１４：ＳＡＲ機能部                      １５：宛先調査部
１６ａ：ＡＴＭ側ＣＬＰ判定部            １６ｂ：ＬＡＮ側ＣＬＰ判定部
１６ｃ：優先度判定部
１７ａ：ＡＴＭ優先キュー                １７ｂ：10BASE-T/100BASE-T優先キュー
１８ａ：ＡＴＭ通常キュー                １８ｂ：10BASE-T/100BASE-T通常キュー
【図１】
2005303881.tif 000003
【図２】
2005303881.tif 000004
【図３】
2005303881.tif 000005
【図４】
2005303881.tif 000006
【図５】
2005303881.tif 000007
【図６】
2005303881.tif 000008